(57)【要約】【課題】数値制御装置の内部構造において、制御盤内に浸入した切削液またはミストが前面表示器部に浸入することを防止することができる表示器部が密閉構造をもつ数値制御装置を提供する。【解決手段】液晶表示器７とタッチパネル５の裏面を切削液などから保護する為に表示器筐体４には液晶表示器７とプリント基板１０間を接続する信号ケーブル・電源ケーブル１１を挿通するケーブル通過用穴１２のみが設けられる。ケーブル通過用穴１２の隙間は、閉塞部材１８または気密性コネクタで塞がれ、液晶表示器７を配置する密閉空間１９（第１密閉空間）を形成する。液晶表示器７から発生した熱は熱伝導シート１７を介して表示器筐体４に放熱させることにより、放熱のための通気口を設けなくてもよい。制御盤１の密閉度に依存することなく、液晶表示器７やタッチパネル５の裏面を保護することができる。【選択図】図１
2015138257.tif 000002
【特許請求の範囲】
【請求項１】
制御部筐体と、該制御部筐体内に収容され液晶表示器の表示制御信号を生成する回路が含まれたプリント基板とで制御部を構成し、前記プリント基板に接続された液晶表示器を有する数値制御装置において、
前記液晶表示器の前面側に設けられ、ベゼルと前記液晶表示器の表示画面を保護する透明板またはタッチパネルで構成される前面パネルと、
前記液晶表示器の裏面側に配置され、前記制御部を取り付けるとともに、前記液晶表示器と前記プリント基板間の電気的接続を行うケーブル通過用穴のみが設けられた表示器筐体と、
前記ケーブル通過用穴の隙間を塞ぐ閉塞部材または気密性コネクタとを有し、
前記前面パネル、前記表示器筐体および前記閉塞部材または前記気密性コネクタにより前記液晶表示器が収容される第１密閉空間を形成したこと特徴とする表示器を有する数値制御装置。
【請求項２】
前記制御部筐体は、内部に冷却用ファンの流路を仕切るための遮蔽板と、外部装置との接続を行う接続部に気密性を保持する気密性コネクタまたは接続部周囲の隙間を塞ぐ閉塞部材とを備え、
前記遮蔽板と前記気密性コネクタまたは前記閉塞部材により前記プリント基板が収容される第２密閉空間を形成したことを特徴とする制御部筐体を有する請求項１記載の数値制御装置。
【請求項３】
前記表示器筺体内に配置された前記液晶表示器の裏面と前記裏面に対向する前記表示器筐体の面との間に熱伝導シートを設けたことを特徴とする請求項１または請求項２に記載の数値制御装置。
【請求項４】
前記制御部筐体内に配設した冷却用ファンの流路を仕切るための遮蔽板と前記制御部筐体内の前記プリント基板の発熱部との間に熱伝導シートを設けたことを特徴とする請求項２または請求項３記載の数値制御装置。
【発明の詳細な説明】
【技術分野】
【０００１】
本発明は数値制御装置に関し、特に、制御盤内に浸入した切削液またはミストが前面表示器部に浸入することを防止することができる数値制御装置用筐体の構造に関する。
【背景技術】
【０００２】
数値制御装置の前面の表示器部は、切削液やミストの影響を受け易い液晶表示器や透過型のタッチパネルが実装されており、表示器部の前面は切削液およびミストの浸入を防ぐ構造となっている。
【０００３】
図３は従来技術を説明する図である。制御盤１の一側面に数値制御装置２が取り付けられている。数値制御装置２は、制御部筐体３と表示器筐体４を備えている。表示器筐体４内に液晶表示器７が配設されている。液晶表示器７の前側には、タッチパネル５が配設されている。タッチパネル５はベゼル６に固定されており、タッチパネル５とベゼル６によって前面パネル８を構成している。なお、表示器部は、前面パネル８、表示器筺体４、液晶表示器７から構成される。
【０００４】
表示器筐体４は、液晶表示器７から放出される熱を表示器筐体４の外部に放出するための放熱用通気口９と液晶表示器７に接続された信号ケーブル・電源ケーブル１１を挿通するケーブル通過用穴１２を備えている。制御部筐体３には、液晶表示器７の表示制御を行う制御回路を含むプリント基板１０が配置されている。制御部筐体３は表示器筐体４に取り付けられている。
【０００５】
制御部筐体３に、制御部筐体３内の熱を制御盤１内に排出するための冷却用ファン１３が取り付けられている。また、制御部筐体３には、制御盤１内の冷気を制御部筐体３内に取り入れるための吸気口１４、プリント基板１０に接続された信号ケーブル・電源ケーブル１６を挿通するケーブル通過用穴１５が設けられている。冷却用ファン１３を駆動することにより、表示器筐体４内および制御部筐体３内の温まった空気を制御部筐体３の外部の制御盤１内に放出するとともに、吸気口１４から制御盤１内の冷気を制御部筐体３内に取り込む。
【０００６】
数値制御装置の表示器取付けの構造に関連して、特許文献１に開示される構造が公知である。
【先行技術文献】
【特許文献】
【０００７】
【特許文献１】特開平９-２７４４４７号公報
【発明の概要】
【発明が解決しようとする課題】
【０００８】
数値制御装置を取り付ける制御盤及びペンダントボックスの経年変化による気密性の劣化や、制御盤等に不備があった場合に、表示器部背面から切削液およびミストが浸入し、液晶表示器やタッチパネルに不具合を発生させることがあった。  
図３に示される従来の構造では、表示器筺体４は放熱用通気口９やケーブル通過用穴１２が開いており、密閉されていなかった。また、数値制御装置２内の環境は制御盤１等の密閉度に依存していた。そのため、制御盤１内に浸入した切削液またはミストが表示器部（表示器筺体４）内に更に浸入するのを防ぐことができなかった。
【０００９】
特許文献１に開示される構造は、切削液やミストから保護する内部構造ではなく、数値制御装置に備わった表示器部への切削液およびミストの浸入を防ぐことができなかった。
そこで、本発明の目的は、上記従来技術の問題点に鑑み、数値制御装置の内部構造において、制御盤内に浸入した切削液またはミストが前面表示器部に浸入することを防止することができる表示器部が密閉構造をもつ数値制御装置を提供することである。
【課題を解決するための手段】
【００１０】
本願の請求項１に係る発明は、制御部筐体と、該制御部筐体内に収容され液晶表示器の表示制御信号を生成する回路が含まれたプリント基板とで制御部を構成し、前記プリント基板に接続された液晶表示器を有する数値制御装置において、前記液晶表示器の前面側に設けられ、ベゼルと前記液晶表示画面を保護する透明板またはタッチパネルで構成される前面パネルと、前記液晶表示器の裏面側に配置され、前記制御部を取り付けるとともに、前記液晶表示器と前記プリント基板間の電気的接続を行うケーブル通過用穴のみが設けられた表示器筐体と、前記ケーブル通過用穴の隙間を塞ぐ閉塞部材または気密性コネクタとを有し、前記前面パネル、前記表示器筐体および前記閉塞部材または前記気密性コネクタにより前記液晶表示器が収容される第１密閉空間を形成したこと特徴とする表示器を有する数値制御装置である。
【００１１】
請求項２に係る発明は、前記制御部筐体は、内部に冷却用ファンの流路を仕切るための遮蔽板と、外部装置との接続を行う接続部に気密性を保持するコネクタまたは接続部周囲の隙間を塞ぐ閉塞部材とを備え、前記遮蔽板と前記気密性コネクタまたは前記閉塞部材により前記プリント基板が収容される第２密閉空間を形成したことを特徴とする制御部筐体を有する請求項１記載の数値制御装置である。  
請求項３に係る発明は、前記表示器筺体内に配置された前記液晶表示器の裏面と前記裏面に対向する前記表示器筐体の面との間に熱伝導シートを設けたことを特徴とする請求項１または請求項２に記載の数値制御装置である。  
請求項４に係る発明は、前記制御部筐体内に配設した冷却用ファンの流路を仕切るための遮蔽板と前記制御部筐体内の前記プリント基板の発熱部との間に熱伝導シートを設けたことを特徴とする請求項２または請求項３記載の数値制御装置である。
【発明の効果】
【００１２】
本発明により、数値制御装置の内部構造において、制御盤内に浸入した切削液またはミストが前面表示器部に浸入することを防止することができる表示器部が密閉構造をもつ数値制御装置を提供できる。
【図面の簡単な説明】
【００１３】
【図１】本発明の実施形態１の断面を示す図である。
【図２】本発明の実施形態２の断面を示す図である。
【図３】従来技術を示す図である。
【発明を実施するための形態】
【００１４】
本発明は、前面の表示器部側を独立した密閉構造とすることにより制御盤やペンダントボックッス内に浸入してしまった切削液などが数値制御装置の内側、制御部側より表示器部に浸入することを防止する構造である。以下、本発明の実施形態を図面と共に説明する。
【００１５】
＜実施形態１＞
図１は本発明の実施形態１の断面を示す図である。制御盤１の一側面に数値制御装置２が取り付けられている。数値制御装置２は、制御部筐体３と表示器筐体４を備えている。表示器筐体４内に液晶表示器７が配設されている。液晶表示器７の前側には、タッチパネル５が配設されている。タッチパネル５はベゼル６に固定されている。なお、前面パネル８は、タッチパネル５とベゼル６によって構成される。なお、透過型のタッチパネル５に替えて光透過型の光透明板を用いてもよい。制御盤１に替えてペンダントボックス型を用いてもよい。
【００１６】
表示器筐体４は、液晶表示器７に接続された信号ケーブル・電源ケーブル１１を挿通するケーブル通過用穴１２を備え、従来の構造(図３)に示される放熱用通気口９を備えていない。液晶表示器７の裏面と表示器筐体４の内側面の間に熱伝導シート１７が配設されている。液晶表示器７の発熱は熱伝導シート１７を介して表示器筐体４に放熱される。ケーブル通過用穴１２は、閉塞部材１８で閉塞される。閉塞部材１８は、シール栓、シール剤などでもよい。閉塞部材１８に替えて気密性コネクタを用いてケーブル通過用穴１２を閉塞してもよい。これによって、前面パネル８、表示器筐体４および閉塞部材１８または気密性コネクタにより、液晶表示器７が収容される表示器筐体内密閉空間１９（第１密閉空間）を形成している。表示器筐体４には、液晶表示器７が配置された側と反対側の面に制御部筐体３が取り付けられている。
【００１７】
制御部筐体３には、液晶表示器７の表示制御を行う制御回路が含まれたプリント基板１０が配置されている。制御部筐体３は、制御部筐体３内の熱を制御盤１内に排出するための冷却用ファン１３が取り付けられている。なお、制御部筺体３と制御部筐体内に収容され液晶表示器の表示制御信号を生成する回路が含まれたプリント基板１０とで制御部が構成される。
【００１８】
制御部筐体３には、制御盤１内の冷気を制御部筐体３内に取り入れるための吸気口１４、プリント基板１０に接続された信号ケーブル・電源ケーブル１６を挿通するケーブル通過用穴１５が設けられている。冷却用ファン１３を駆動することにより、制御部筐体３内の温まった空気を制御部筐体３の外部（制御盤１内）に放出するとともに、吸気口１４から制御盤１内の冷気を制御部筐体３内に取り込む。
【００１９】
上述したように、実施形態１は、液晶表示器７とタッチパネル５の裏面を切削液などから保護する為に、表示器筐体４には液晶表示器７とプリント基板１０の間を接続するケーブルを挿通するケーブル通過用穴１２のみが設けられる。ケーブル通過用穴１２の隙間は閉塞部材１８または気密性コネクタを用いて閉塞し、液晶表示器７を配置する密閉空間１９（第１密閉空間）を形成する。
【００２０】
液晶表示器７で発生した熱は、熱伝導シート１７を介して表示器筐体４に放熱させる。この構造を備えることによって通気口をなくしている。ケーブル通過用穴１２の閉塞部材１８としてはシール栓、シール剤、ケーブルグランドが用いられる。閉塞部材１８に替えて気密性コネクタ等を用いることが考えられる。制御盤１等の密閉度に依存することなく、液晶表示器７やタッチパネルの裏面を保護することができる。万が一切削液やミストが前記制御盤１内に浸入しても、その影響を限定的なものとすることができる。
【００２１】
＜実施形態２＞
図２は本発明の実施形態２の断面を示す図である。実施形態２の構成は実施形態１の構成に更に次の構成を備えている。制御部筐体３は、内部に冷却用ファン１３の流路を仕切るための遮蔽板２２を備えている。制御部筐体３には、プリント基板１０と外部装置（図示せず）とを接続する信号ケーブル・電源ケーブル１６を挿通するケーブル通過用穴１５が設けられている。
【００２２】
遮蔽板２２と制御部筐体３内のプリント基板１０の発熱部との間に熱伝導シート２０を設け、プリント基板１０の発熱は熱伝導シート２０を介して遮蔽板２２に放熱される。ケーブル通過用穴１５は閉塞部材２１で閉塞される。閉塞部材２１として、シール栓、シール剤、ケーブルグランドが用いられる。または閉塞部材２１に替えて、気密性コネクタを用いることができる。遮蔽板２２と閉塞部材２１または気密性コネクタによりプリント基板１０が収容される第２密閉空間が形成される。
【００２３】
実施形態２は、実施形態１の構成に更に制御部などの機能的部位も独立した密閉構造を有する。制御部筐体３に冷却用ファン１３の流路を仕切るための遮蔽板２２と気密性コネクタまたはコネクタ周囲に閉塞部材２１を配置することにより、表示制御信号を生成する回路を含むプリント基板１０を配置する密閉空間２３（第２密閉空間）を形成している。
【００２４】
上述した本発明の実施形態により、切削液やミストによる影響を受け易い液晶表示器やタッチパネルの裏面が保護され、故障の低減、信頼性の向上に寄与することができる。密閉構造としたことにより、熱による影響が危惧されるが、液晶表示器７のＬＥＤ化に伴う消費電力の低下、および、液晶表示器７からの発熱を熱伝導シート１７を介して表示器筐体４に放熱させる対策などにより、解消できる。また数値制御装置２の各部位を機能ごとに構造を分けて、それぞれ独立した密閉空間を形成することにより、表示器部および制御部が切削液やミストによる影響がなくなり、故障の低減、信頼性の向上に寄与する。
【符号の説明】
【００２５】
１  制御盤
２  数値制御装置
３  制御部筐体
４  表示器筐体
５  タッチパネル（または透明板）
６  ベゼル
７  液晶表示器
８  前面パネル
９  放熱用通気口
１０  プリント基板
１１  信号ケーブル・電源ケーブル
１２  ケーブル通過用穴
１３  冷却用ファン
１４  吸気口
１５  ケーブル通過用穴
１６  信号ケーブル・電源ケーブル
１７  熱伝導シート
１８  閉塞部材
１９  表示器筺体内密閉空間
２０  熱伝導シート
２１  閉塞部材
２２  遮蔽板
２３  制御部筐体内密閉空間
２４  空気の流れ
【図１】
2015138257.tif 000003
【図２】
2015138257.tif 000004
【図３】
2015138257.tif 000005
【手続補正書】
【提出日】平成27年4月27日(2015.4.27)
【手続補正１】
【補正対象書類名】明細書
【補正対象項目名】００１０
【補正方法】変更
【補正の内容】
【００１０】
本願の請求項１に係る発明は、制御部筐体と、該制御部筐体内に収容され液晶表示器の表示制御信号を生成する回路が含まれたプリント基板とで制御部を構成し、前記プリント基板に接続された液晶表示器を有する数値制御装置において、前記液晶表示器の前面側に設けられ、ベゼルと前記液晶表示器の表示画面を保護する透明板またはタッチパネルで構成される前面パネルと、前記液晶表示器の裏面側に配置され、前記制御部を取り付けるとともに、前記液晶表示器と前記プリント基板間の電気的接続を行う第１のケーブル通過用穴のみが設けられた表示器筐体と、前記ケーブル通過用穴の隙間を塞ぐ閉塞部材または気密性コネクタとを有し、前記前面パネル、前記表示器筐体および前記閉塞部材または前記気密性コネクタにより前記液晶表示器が収容される第１密閉空間を形成したこと特徴とする表示器を有する数値制御装置である。
【手続補正２】
【補正対象書類名】明細書
【補正対象項目名】００１１
【補正方法】変更
【補正の内容】
【００１１】
請求項２に係る発明は、前記制御部筐体は、内部に冷却用ファンの流路を仕切るための遮蔽板と、外部装置との接続を行う第２のケーブル通過用穴に気密性を保持する気密性コネクタまたは隙間を塞ぐ閉塞部材とを備え、前記遮蔽板と前記気密性コネクタまたは前記閉塞部材により前記プリント基板が収容される第２密閉空間を形成したことを特徴とする制御部筐体を有する請求項１記載の数値制御装置である。  
請求項３に係る発明は、前記表示器筺体内に配置された前記液晶表示器の裏面と前記裏面に対向する前記表示器筐体の面との間に熱伝導シートを設けたことを特徴とする請求項１または請求項２に記載の数値制御装置である。  
請求項４に係る発明は、前記制御部筐体内に配設した冷却用ファンの流路を仕切るための遮蔽板と前記制御部筐体内の前記プリント基板の発熱部との間に熱伝導シートを設けたことを特徴とする請求項２または請求項３記載の数値制御装置である。
【手続補正３】
【補正対象書類名】特許請求の範囲
【補正対象項目名】請求項１
【補正方法】変更
【補正の内容】
【請求項１】
制御部筐体と、該制御部筐体内に収容され液晶表示器の表示制御信号を生成する回路が含まれたプリント基板とで制御部を構成し、前記プリント基板に接続された液晶表示器を有する数値制御装置において、
前記液晶表示器の前面側に設けられ、ベゼルと前記液晶表示器の表示画面を保護する透明板またはタッチパネルで構成される前面パネルと、
前記液晶表示器の裏面側に配置され、前記制御部を取り付けるとともに、前記液晶表示器と前記プリント基板間の電気的接続を行う第１のケーブル通過用穴のみが設けられた表示器筐体と、
前記ケーブル通過用穴の隙間を塞ぐ閉塞部材または気密性コネクタとを有し、
前記前面パネル、前記表示器筐体および前記閉塞部材または前記気密性コネクタにより前記液晶表示器が収容される第１密閉空間を形成したこと特徴とする表示器を有する数値制御装置。
【手続補正４】
【補正対象書類名】特許請求の範囲
【補正対象項目名】請求項２
【補正方法】変更
【補正の内容】
【請求項２】
前記制御部筐体は、内部に冷却用ファンの流路を仕切るための遮蔽板と、外部装置との接続を行う第２のケーブル通過用穴に気密性を保持する気密性コネクタまたは隙間を塞ぐ閉塞部材とを備え、
前記遮蔽板と前記気密性コネクタまたは前記閉塞部材により前記プリント基板が収容される第２密閉空間を形成したことを特徴とする制御部筐体を有する請求項１記載の数値制御装置。
【手続補正５】
【補正対象書類名】図面
【補正対象項目名】図１
【補正方法】変更
【補正の内容】
【図１】
2015138257.tif 000006
【手続補正６】
【補正対象書類名】図面
【補正対象項目名】図２
【補正方法】変更
【補正の内容】
【図２】
2015138257.tif 000007
【手続補正７】
【補正対象書類名】図面
【補正対象項目名】図３
【補正方法】変更
【補正の内容】
【図３】
2015138257.tif 000008